(57)【要約】      （修正有）【課題】ストローの外径よりも大きな開口部にストローを挿入したときに、ストローの安定性が高く、なおかつストローの挿入に伴う紙粉の発生を抑制できる飲料用紙容器を提供する。【解決手段】飲料用紙容器は、ストロー３が取り外し可能な状態で付属し、かつ紙を素材として形成された容器本体を備え、容器本体から取り外されたストロー３を挿入でき、かつストロー３の外径よりも大きな開口部８が容器本体の上壁７に形成されている。開口部８の周縁部９の一部がストロー３の径方向外側からストロー３を支持できる支持部１０として構成され、支持部１０はストロー３に接触する接触面１０ａを有している。【選択図】図３
2008296925.tif 000002
【特許請求の範囲】
【請求項１】
内部に収められた飲料を使用者が飲むためのストローが取り外し可能な状態で付属し、かつ紙を素材として形成された容器本体を備え、前記容器本体から取り外された前記ストローを挿入でき、かつ前記ストローの外径よりも大きな開口部が前記容器本体に形成された飲料用紙容器において、
前記開口部の周縁部の一部が前記ストローの径方向外側から前記ストローを支持できる支持部として構成され、前記支持部は前記ストローに接触する接触面を有していることを特徴とする飲料用紙容器。
【請求項２】
前記支持部の前記接触面は、前記ストローの外周に沿って連続的に前記ストローと接触するように構成されていることを特徴とする請求項１に記載の飲料用紙容器。
【請求項３】
前記支持部は、前記ストローの径方向外側の一方とその反対側の他方とから前記ストローを支持でき、かつ前記ストローに接触する前記接触面を有する一対の支持部として構成され、
前記一対の支持部の各接触面は、前記ストローを支持した際に互いに対向し、かつ前記ストローの外周面と部分的に接触するように構成されていることを特徴とする請求項１に記載の飲料用紙容器。
【請求項４】
前記ストローの外周面と前記一対の支持部の各接触面との接触部が前記ストローの周方向に関して等間隔に並ぶように、前記一対の支持部の各接触面が構成されていることを特徴とする請求項３に記載の飲料用紙容器。
【請求項５】
前記容器本体の内側から前記開口部を塞ぐフィルム状部材と、前記容器本体の外側から前記開口部を塞ぐようにして、前記容器本体と、前記開口部から前記容器本体の外側に露出する前記フィルム状部材の露出部とに貼り付けられる蓋部材と、を備え、
前記蓋部材を前記容器本体から剥離したときに前記露出部が前記蓋部材に付着した状態で前記フィルム状部材から切り離されるように、前記フィルム状部材の機械的強度と前記蓋部材と前記露出部との接着強度とがそれぞれ設定されていることを特徴とする請求項１〜４のいずれか一項に記載の飲料用紙容器。
【発明の詳細な説明】
【技術分野】
【０００１】
本発明は、付属したストローを挿入可能な開口部が形成された飲料用紙容器に関する。
【背景技術】
【０００２】
内部に収められた飲料を使用者が飲むためのストローが付属し、そのストローを挿入可能な大きさの開口部が形成されている飲料用紙容器が広く知られている。例えば、容器本体に付属する細長円筒状のストローに合わせた円形状の開口部を設け、その開口部の孔径をストローの外径と略等しくしたものがある。また、飲用缶の飲み口を模してストローの外径よりも大きな開口部を持ち、付属のストローを使用しなくても容器から直接飲料を飲むことができる紙を素材とした飲料用紙容器も知られている。更に、ストローが挿入される開口部をストローの外径よりも小径の部分と大径の部分とで構成し、その小径の部分をストローの挿入により容器内部へ押し曲げて係止部を形成し、かつ挿入されたストローの外面と大径の部分との間に空隙を形成するように構成した飲料用紙容器が知られている（特許文献１）。
【０００３】
【特許文献１】実開平５−３４１２６号公報
【発明の開示】
【発明が解決しようとする課題】
【０００４】
ストローの外径よりも開口部が大きい飲料用紙容器の場合には、開口部にストローを挿入したときの安定性に問題がある。そこで、特許文献１のように、開口部の一部をストローの外径よりも小径の部分とし、その小径部分をストローの挿入によって容器内部に押し曲げて、その押し曲げられた小径部分によってストローを支持することも可能である。しかし、小径部分の押し曲げに伴って挿入時のストローに無理な力がかかり易く、しかも小径部分の押し曲げに伴ってその端部から紙粉が発生し易い。特許文献１には、小径部分の押し曲げ易くするため小径部分にスリットを入れる技術が開示されているが、そのスリットからの紙粉が発生して、スリットを入れない場合よりも紙粉が増大するおそれがある。
【０００５】
そこで、本発明は、ストローの外径よりも大きな開口部にストローを挿入したときに、ストローを支持することができ、なおかつストローの挿入に伴う紙粉の発生を抑制できる飲料用紙容器を提供することを目的とする。
【課題を解決するための手段】
【０００６】
以下、本発明の飲料用紙容器について説明する。なお、本発明の理解を容易にするために添付図面の参照符号を括弧書きにて付記するが、それにより本発明が図示の形態に限定されるものではない。
【０００７】
本発明の飲料用紙容器は、内部に収められた飲料を使用者が飲むためのストロー（３）が取り外し可能な状態で付属し、かつ紙を素材として形成された容器本体（２）を備え、前記容器本体から取り外された前記ストローを挿入でき、かつ前記ストローの外径（Ｄ）よりも大きな開口部（８、１５、２０）が前記容器本体に形成された飲料用紙容器（１）において、前記開口部の周縁部（９、１６、２３）の一部が前記ストローの径方向外側から前記ストローを支持できる支持部（１０、１７、２４）として構成され、前記支持部は前記ストローに接触する接触面（１０ａ、１７ａ、２４ａ）を有していることにより、上述した課題を解決する。
【０００８】
この飲料用紙容器によれば、容器本体に形成された開口部の一部が開口部に挿入されたストローを支持する支持部として機能するので、支持部によってストローを支持することができる。開口部はストローの外径よりも大きいため、支持部として機能する部分以外はストローと非接触状態になる。これによりストローの外周面と開口部との間に空隙が形成される。支持部はストローを支持した際にストローと接触する接触面を有するので、ストローの挿入に伴って容器本体の内部へ押し曲げられることがない。そのため、ストローの挿入時に無理な力がかからずに開口部の端面からの紙粉の発生を抑えることができる。なお、本発明においてストローの外径よりも大きい開口部とは、ストローが円管状の場合、その外径と同一直径の円の面積よりも大きな開口面積を開口部が持つことを意味する。
【０００９】
本発明の一態様においては、前記支持部の前記接触面は、前記ストローの外周に沿って連続的に前記ストローと接触するように構成されていてもよい。この態様によれば、支持部の接触面とストローとの接触がストローの外周に沿ったものになるので、ストローが開口部に対してずれ難くなり、ストローの安定性が向上する。
【００１０】
本発明の一態様においては、前記支持部は、前記ストローの径方向外側の一方とその反対側の他方とから前記ストローを支持でき、かつ前記ストローに接触する前記接触面を有する一対の支持部として構成され、前記一対の支持部の各接触面は、前記ストローを支持した際に互いに対向し、かつ前記ストローの外周面と部分的に接触するように構成されていてもよい。この態様によれば、一対の支持部はそのストローの一方とその反対側の他方とから支持するのでストローの安定性が向上する。また、一対の支持部の各接触面とストローとの接触がいわば点接触となるので、広範囲でストローと接触する形態と比べてストローの外径の誤差に対する許容範囲が拡大する。これにより、付属ストローの寸法精度及び開口部の寸法精度に余裕が生まれるため製造コストを低減できる。更に、ストローの挿入に伴って容器本体の内部へ押し潰されることがないので、紙粉の発生を抑制できる。この態様においては、前記ストローの外周面と前記一対の支持部の各接触面との接触部（Ｐ１〜Ｐ４：図７）が前記ストローの周方向に関して等間隔に並ぶように、前記一対の支持部の各接触面が構成されていてもよい。この場合、接触部がストローの周方向に関して等間隔に並ぶことによりストローの安定性が高まる。
【００１１】
本発明の一態様においては、前記容器本体の内側から前記開口部を塞ぐフィルム状部材（１３）と、前記容器本体の外側から前記開口部を塞ぐようにして、前記容器本体と、前記開口部から前記容器本体の外側に露出する前記フィルム状部材の露出部（１３ａ）とに貼り付けられる蓋部材（１２）と、を備え、前記蓋部材を前記容器本体から剥離したときに前記露出部が前記蓋部材に付着した状態で前記フィルム状部材から切り離されるように、前記フィルム状部材の機械的強度と前記蓋部材と前記露出部との接着強度とがそれぞれ設定されていてもよい。この態様によれば、蓋部材を剥離する前の未開封状態において、容器本体の内側からフィルム状部材で開口部が塞がれるため、開口部の周縁部から内部の飲料が染み込んで周縁部が汚れることが防止される。また、周縁部と飲料との接触が断たれるので衛生面でも効果がある。
【発明の効果】
【００１２】
以上説明したように、本発明の飲料用紙容器によれば、ストローを挿入したときに支持部にてストローを支持することができる。しかも、支持部はストローを支持した際にストローと接触する接触面を有するので、ストローの挿入によって容器本体の内部へ押し曲げられることがないため、ストローの挿入時に無理な力がかからずに各接触面からの紙粉の発生を抑えることができる。
【発明を実施するための最良の形態】
【００１３】
（第１の形態）
図１は本発明の一形態に係る飲料用紙容器を示した斜視図である。飲料用紙容器（以下、紙容器という。）１には清涼飲料、乳飲料等の飲料が内部に収められる。紙容器１は所定量の飲料が収められる容器本体２を備え、容器本体２には飲料を使用者が飲むためのストロー３が付属している。ストロー３は透明な小袋４に収納されていて、その小袋４が容器本体２の側部に貼り付けられている。ストロー３を使用する際には、その小袋４を容器本体２から剥離してから小袋４を破くことにより、又は容器本体２に小袋４が貼り付いた状態で小袋４を破くことによりストロー３を容器本体２から取り外すことができる。
【００１４】
容器本体２は紙としての所定の容器用原紙を素材とし公知の方法で形成されている。容器本体２の少なくとも内面は耐水性を高めるための被覆層（例えばポリエチレン層）にて覆われる。容器本体２は先窄まりの筒状の側壁５を有し、その側壁５には底壁６と上壁７とが公知の方法で接合されている。これにより、容器本体２は全体として円錐台形状に形成される。容器本体２の上壁７の略中央部には、ストロー３の挿入のため、又は飲み口として機能する開口部８が形成されており、その開口部８は蓋部材としての蓋テープ１２が上壁７の外面に貼り付けられることにより塞がれている。
【００１５】
図２は図１に示したストロー３の詳細を示している。ストロー３は周知の伸縮式ストローとして構成される。ストロー３は使用者にて銜えられる中空円筒状の基部３ａと基部３ａに対して伸縮する伸縮部３ｂとが組み合わされることにより構成されている。ストロー３はその基部３ａが最も太くなっている。伸縮部３ｂは基部３ａの内側に収納され、図２の想像線で示すように二段階に伸縮する。基部３ａの外径Ｄが本発明に係る外径に相当する。
【００１６】
図３はストロー３が開口部８に挿入された状態の上壁７の一部を示した拡大平面図であり、図４は図３のIV−IV線に沿った断面図である。図３に示すように、上壁７にはストロー３の外径Ｄよりも大きな開口部８が形成されている。つまり、開口部８は外径Ｄと同一直径の円の面積よりも大きな開口面積を持つ。開口部８は４つの角が丸められた菱形状に形成され、その周縁部９の一部がストロー３の基部３ａに接触し、その他の部分がストロー３と非接触状態となっている。これによりストロー３の外周面と周縁部９との間に空隙が形成される。ストロー３と接触する周縁部９の一部は一対の支持部１０、１０として構成される。各支持部１０はストロー３の径方向外側の一方（図３の上側）及びその反対側の他方（図３の下側）のそれぞれからストロー３を支持することができる。各支持部１０の接触面１０ａはストロー３の外周に沿って連続的にストロー３と接触するように構成されている。換言すれば、各支持部１０の接触面１０ａはストロー３の外周面と同一曲率を持つ曲面で構成されている。
【００１７】
図４に示すように、各支持部１０は容器本体２にストロー３が挿入された状態でもその挿入によって容器本体２の内側へ押し曲げられることなく、それらの各接触面１０ａはストロー３に接触し、かつ互いに対向するように構成される。即ち、ストロー３の挿入によって各支持部１０が押し曲げられないように各接触面１０ａ間の距離Ｘが適宜に設定される。この距離Ｘはストロー３の長手方向の中心線と直交する方向に関して定義される各接触面１０ａ間の距離である。この距離Ｘは、図４の形態の場合、接触面１０ａの各位置に関してストロー３の外径Ｄと略同一に設定され、開口部８及びストロー３のそれぞれの加工精度や、容器本体２及びストロー３のそれぞれの材質等の諸条件を考慮して適正な値に設定される。
【００１８】
図５は開口部８が蓋テープ１２にて塞がれた状態の上壁７の一部を示した拡大平面図であり、図６は図５のVI−VI線に沿った断面図である。これらの図に示すように、開口部８は容器本体２の外側から蓋テープ１２にて塞がれるとともに、容器本体２の内側からフィルム状部材としての内貼りテープ１３にて塞がれる。内貼りテープ１３は耐水性を有したポリエチレン等の合成樹脂製のフィルムを素材として構成される。図６に示すように、蓋テープ１２は、容器本体２の上壁７に貼り付けられるとともに、開口部８から容器本体２の外側に露出する内貼りテープ１３の露出部１３ａに貼り付けられる。
【００１９】
紙容器１は、その開封のために蓋テープ１２を剥離すると、露出部１３ａが蓋テープ１２に付着した状態で内貼りテープ１３から切り離されるように構成されている。つまり、蓋テープ１２の剥離に伴って露出部１３ａが内貼りテープ１３から切り離されるように、内貼りテープ１３の機械的強度と、蓋テープ１２と露出部１３ａとの接着強度とがそれぞれ設定されている。これにより、開口部８の周縁部９から内部の飲料が染み込んで周縁部９が汚れることが防止される。また、周縁部９と飲料との接触が断たれるので衛生面でも効果がある。
【００２０】
第１の形態の紙容器によれば、一対の支持部１０、１０はストロー３の両側から支持し、しかもストロー３の外周に沿って連続的に接触するため、挿入されたストロー３が開口部８に対してずれ難くなり、ストロー３の安定性が向上する。また、各支持部１０はストロー３の挿入によって容器本体２の内部へ押し曲げられることなく各接触面１０ａが互いに対向するため、ストロー３の挿入時に無理な力がかからずに各接触面１０ａからの紙粉の発生を抑えることができる。
【００２１】
（第２の形態）
次に、図７及び図８を参照して本発明の第２の形態を説明する。第２の形態は開口部の構成を除き第１の形態と同一である。そのため、第１の形態と同一構成については上記の説明が参照される。また第１の形態と同一構成については、図７及び図８に同一符号が付されている。図７はストロー３が第２の形態に係る開口部１５に挿入された状態の上壁７の一部を示した拡大平面図であり、図８は図７のVIII−VIII線に沿った断面図である。図７に示すように、上壁７にはストロー３の外径Ｄよりも大きな開口部１５が形成される。つまり、開口部１５は外径Ｄと同一直径の円の面積よりも大きな開口面積を持つ。開口部１５は４つの角が丸められた正方形状に形成され、その周縁部１６の一部がストロー３の基部３ａに接触し、その他の部分がストロー３と非接触状態となっている。
【００２２】
周縁部１６とストロー３とは接触部Ｐ１、Ｐ２、Ｐ３、Ｐ４の４箇所で部分的に接触する。各接触部Ｐ１〜Ｐ４はストロー３の周方向に関して等間隔に（９０°毎に）並んでいる。周縁部１６のうち接触部Ｐ１から接触部Ｐ２まで連続する部分と、周縁部１６のうち接触部Ｐ３から接触部Ｐ４まで連続する部分とが一対の支持部１７として機能する。図７の上側の支持部１７の接触面１７ａは接触部Ｐ１及び接触部Ｐ２を含み、図７の下側の支持部１７の接触面１７ａは接触部Ｐ３及び接触部Ｐ４を含む。
【００２３】
図８に示すように、各支持部１７は容器本体２にストロー３が挿入された状態でも、その挿入によって容器本体２の内側へ押し曲げられることなく、それらの各接触面１７ａは互いに対向するように構成される。即ち、第１の形態と同様に、ストロー３の挿入によって各支持部１７が押し曲げられないように各接触面１７ａ間の距離Ｘが適宜に設定される。この距離Ｘは、図８の形態の場合、一方の接触面１７ａの接触部Ｐ１と他方の接触面１７ａの接触部Ｐ４とに関してストロー３の外径Ｄと略同一に設定される。接触部Ｐ２と接触部Ｐ３とに関しても同様である。距離Ｘの適正な値は、開口部１５及びストロー３のそれぞれの加工精度や、容器本体２及びストロー３のそれぞれの材質等の諸条件を考慮して設定される。
【００２４】
第２の形態の紙容器によれば、一対の支持部１７、１７の各接触面１７ａとストロー３との接触がいわば点接触となるので、第１の形態のように広範囲でストローと接触する形態と比べてストロー３の外径の誤差に対する許容範囲が拡大する。これにより、ストロー３の寸法精度及び開口部１５の寸法精度に余裕が生まれるため製造コストを低減できる。更に、ストロー３と各接触面１７ａとの接触部Ｐ１〜Ｐ４がストロー３の周方向に関して等間隔に並ぶため、ストローの安定性が高まる。
【００２５】
本発明は以上の形態に限定されず、本発明の要旨の範囲内で種々の形態にて実施できる。上述した各形態では、容器本体２の内側から開口部８（開口部１５）を塞ぐフィルム部材としての内貼りテープ１３（図６参照）を適用したが、これを省略して蓋部材としての蓋テープ１２のみで開口部８（開口部１５）を塞ぐようにしてもよい。
【００２６】
上述した開口部の形状は例示に過ぎず、種々の形状の開口部で本発明を実施できる。図９及び図１０は開口部の他の形態を示した説明図である。図９に示すように、この開口部２０はストロー３が挿入される挿入孔２１と、挿入孔２１に続いて形成されて空隙を確保するためのエア抜き孔２２とを含んでいる。開口部２０の周縁部２３の一部は一対の支持部２４、２４として機能し、各支持部２４にてストロー３が支持されたときに各支持部２４の接触面２４ａが互いに対向するように構成される。この場合、挿入孔２１とエア抜き孔２２との大小関係は任意であり、図９とは反対に、エア抜き孔２２が挿入孔２１よりも大きくてもよい。また、エア抜き孔２２の形状は図示の円形状に限らず、例えばエア抜き孔２２を菱形に形成することもできる。また、図１０に示すように、挿入孔２１をエア抜き孔２２に対して二つ以上連ねることもできる。この場合には、複数のストロー３を容器本体２に付属させることで、二人以上で同時に飲料を飲むことが可能になる。
【図面の簡単な説明】
【００２７】
【図１】本発明の一形態に係る飲料用紙容器を示した斜視図。
【図２】図１に示したストローの詳細を示した図。
【図３】ストローが開口部に挿入された状態の上壁の一部を示した拡大平面図。
【図４】図３のIV−IV線に沿った断面図。
【図５】開口部が蓋テープにて塞がれた状態の上壁の一部を示した拡大平面図。
【図６】図５のVI−VI線に沿った断面図。
【図７】ストローが第２の形態に係る開口部に挿入された状態の上壁の一部を示した拡大平面図。
【図８】図７のVIII−VIII線に沿った断面図。
【図９】開口部の他の形態を示した説明図。
【図１０】図９の開口部とは異なる他の形態を示した説明図。
【符号の説明】
【００２８】
１  飲料用紙容器
２  容器本体
３  ストロー
８、１５、２０  開口部
９、１６、２３  周縁部
１０、１７、２４  支持部
１０ａ、１７ａ、２４ａ  接触面
１２  蓋テープ（蓋部材）
１３  内貼りテープ（フィルム状部材）
１３ａ  露出部
Ｄ  外径
Ｐ１〜Ｐ４  接触部
【図１】
2008296925.tif 000003
【図２】
2008296925.tif 000004
【図３】
2008296925.tif 000005
【図４】
2008296925.tif 000006
【図５】
2008296925.tif 000007
【図６】
2008296925.tif 000008
【図７】
2008296925.tif 000009
【図８】
2008296925.tif 000010
【図９】
2008296925.tif 000011
【図１０】
2008296925.tif 000012